(57)【特許請求の範囲】
【請求項１】
表示装置の表示面に表示された被写体像を観察することで撮影状況を確認することが可能なカメラにおいて、
ファインダー光学系を通して前記表示面の被写体像を観察するファインダー窓と、
前記表示面の被写体像を直接観察するモニター表示窓と、
前記表示面が前記モニター表示窓に近接した第１位置と、前記第１位置からカメラ内側に後退した第２位置との間を移動可能な表示装置と、
前記表示装置の第２位置に対応し、前記表示面からの光束を反射して前記ファインダー窓に導く反射位置と、前記表示装置の第１位置に対応し、前記反射位置とは異なる非反射位置とに移動可能な反射ミラーと、
前記表示装置及び前記反射ミラーの位置の切り替えを指示する指示手段と、
前記指示手段の指示に応じて、前記表示装置及び前記反射ミラーを移動させることにより、第１位置において前記モニター表示窓を通して前記表示面を直接観察可能とし、前記第２位置において前記反射ミラーで反射した後に前記ファインダー光学系を介し前記ファインダー窓を通して前記表示面を観察可能とする移動手段と、を備えたことを特徴とするカメラ。
【請求項２】
前記反射ミラーは、前記反射位置において、前記モニター表示窓に近接することを特徴とする、請求項１に記載のカメラ。
【発明の詳細な説明】
【０００１】
【発明の属する技術分野】
本発明は、カメラに関し、詳しくは、ファインダー表示とモニター表示を行うことができるカメラに関する。
【０００２】
【従来の技術】
従来、モニター表示とファインダー表示の両方が可能なビデオカメラやデジタルスチルカメラが種々提案されている。
【０００３】
図１は、従来例のデジタルスチルカメラの構成を示すブロック図である。メイン基板３には、鏡胴ユニット１と、ＣＣＤ撮像素子２と、ＥＶＦ（電子ビューファンダー）用のＬＣＤ（液晶ディスプレイ）４と、背面モニター用のＬＣＤ５と、フラッシュ発光部６及び電池８が接続された電源回路及びフラッシュ回路７と、電池８とが接続されている。メイン基板３には、ＣＰＵ３ａ、メモリ３ｂ、カメラ制御回路３ｃ、インターフェース回路３ｄ、ＬＣＤユニット４，５をそれぞれ電気的に駆動する表示ＩＣ３ｓ，３ｔが配置されている。
【０００４】
ＬＣＤユニット４，５や表示ＩＣ３ｓ，３ｔを二組備えると、コスト高になる。そこで、モニター表示用の表示装置を、ファインダー表示にも用いることが考えられる。
【０００５】
例えば、特許文献１、２及び３には、筐体の外部において表示装置が回動するタイプのカメラやファインダー装置が開示されている。このタイプのものは、表示装置が筐体に対して開いた状態のときには、表示装置の画面を直接、見ることができる。表示装置が筐体に対して閉じた状態のときには、筐体内に配置された光学系を介して、表示装置の画面が観察可能となる。
【０００６】
また、特許文献４には、筐体に表示装置が固定されたタイプのカメラが開示されている。このタイプのものは、半透過面を含むプリズムを用いて、表示装置の画面からの光束を、モニター表示用とファインダー表示用とに分離する。
【０００７】
【特許文献１】
特開平１１−２６５０２３号公報
【特許文献２】
特開平８−１３０６６５号公報
【特許文献３】
特開平９−１８７５４号公報
【特許文献４】
特開２００１−２６８４０４号公報
【０００８】
【発明が解決しようとする課題】
しかし、特許文献１、２及び３のタイプのものは、光学系にのみ占有される空間が必要となり、より小型化することが難しい。
【０００９】
特許文献４のタイプのものは、プリズムによって空間が占有されるために、さらに小型化することができない。また、プリズムを用いると、重くなり、製造コストも高い。さらに、半透過面により輝度が低下する。
【００１０】
したがって、本発明が解決しようとする一つの技術的課題は、一つの表示装置を用いてファインダー表示とモニター表示の両方が可能であるカメラを、より小型化することである。
【００１１】
【課題を解決するための手段】
本発明は、上記技術的課題を解決するために、表示装置の表示面に表示された被写体像を観察することで撮影状況を確認することが可能なカメラにおいて、
ファインダー光学系を通して前記表示面の被写体像を観察するファインダー窓と、
前記表示面の被写体像を直接観察するモニター表示窓と、
前記表示面が前記モニター表示窓に近接した第１位置と、前記第１位置からカメラ内側に後退した第２位置との間を移動可能な表示装置と、
前記表示装置の第２位置に対応し、前記表示面からの光束を反射して前記ファインダー窓に導く反射位置と、前記表示装置の第１位置に対応し、前記反射位置とは異なる非反射位置とに移動可能な反射ミラーと、
前記表示装置及び前記反射ミラーの位置の切り替えを指示する指示手段と、
前記指示手段の指示に応じて、前記表示装置及び前記反射ミラーを移動させることにより、第１位置において前記モニター窓を通して前記表示面を直接観察可能とし、前記第２位置において前記反射ミラーで反射した後に前記ファインダー光学系を介し前記ファインダー窓を通して前記表示面を観察可能とする移動手段と、を備えたことを特徴とするカメラを提供するものである。
【００１２】
本発明のカメラにおいて、前記反射ミラーは、前記反射位置において、前記モニター表示窓に近接するようにしてもよい。
【００１３】
本発明のカメラによれば、カメラ本体内で表示装置と反射ミラーとをそれぞれ移動させることにより、空間を有効に活用し、カメラの小型化を図ることができる。
【００１４】
したがって、一つの表示装置を用いてファイダー表示とモニター表示の両方が可能であるカメラを、より小型化することができる。また、重くてコスト高になるプリズムや、輝度低下を招く半透過面を用いずに、カメラを構成することも可能である。
【００１５】
また、本発明のカメラにおいて、前記反射ミラーが前記反射位置において前記モニター表示窓に近接するようにすれば、ファインダー表示のときには、反射ミラーがモニター表示窓を覆うので、モニター表示窓を覆うための専用部材を設ける必要がない。したがって、構成を簡単にし、小型化を図ることができる。
【００３３】
【発明の実施の形態】
以下、本発明の実施の形態として実施例を図２〜図９に基づいて説明する。
【００３４】
まず、第１実施例のデジタルカメラ（以下、単に「カメラ」と言う。）について、図２〜図７を参照しながら説明する。
【００３５】
図２に示すように、第１実施例のカメラ１０は、メイン基板３６に、操作部５０、検出部５２、モータ５４、表示装置であるＬＣＤユニット２０、ＣＣＤ撮像素子３２、鏡胴ユニット３０、電池５８、電源回路及びフラッシュ回路５６が接続されている。操作部５０は、操作部材を有し、操作部材に対する操作に応じて、信号を出力する。検出部５２は、ＬＣＤユニット２０と後述する駆動アーム４４の回転位置を検出する不図示の検出センサを含み、モニター表示やファインダー表示などのタイミングを検出する。電源回路及びフラッシュ回路５６には、電池５８とフラッシュ発光部４０とが接続されている。メイン基板３６には、カメラ全体の制御を統括するＣＰＵ３６ａ、データを一時的に記憶するメモリ３６ｂ、測距や露出演算、鏡胴ユニット３０のズーム駆動やフォーカス駆動を行うカメラ制御回路３６ｃ、外部機器（例えばパソコン）や記録媒体（例えば、ＣＦカード）とデータの送受信を行うためのインターフェース回路３６ｄ、ＬＣＤユニット２０を電気的に駆動する表示ＩＣ３６ｓなどが配置されている。
【００３６】
ＬＣＤユニット２０は、ＬＣＤ（液晶ディスプレイ）のユニットであり、透過型液晶パネルと、液晶パネルを後方から照明するバックライトとを含み、撮影画像をモニター表示する。また、モータ５４の駆動によりカメラ内を移動し、ＥＶＦ（電子ビューファインダー）光学系２６と組み合わせることでファインダー表示も行う。詳しくは後述するが、モニター表示のときには、図４に示すように、ＬＣＤユニット２０は、カメラ背面のモニター表示窓１６に近接して配置され、その画面２１を、カメラ後方に離れた位置から見ることができる。ファインダー表示のときには、図５に示すように、ＬＣＤユニット２０はカメラ内に傾けて配置され、画面２１は、ファインダー窓１４を覗くと見える。このとき、ＥＶＦ光学系２６（図２参照）は、反射ミラー２３，２４やレンズ群２６により構成される。
【００３７】
なお、ＬＣＤユニット２０には、反射型液晶パネルを用いることもできる。その場合には、カメラ内の適宜位置に照明装置（例えば、照明ランプ、発光ダイオード）を設け、モニター表示のときに液晶パネルを照明するとよい。
【００３８】
また、表示装置には、ＬＣＤ（液晶ディスプレイ）とは別のタイプのもの、例えば、有機ＥＬ（Ｅｌｅｃｔｒｏｌｕｍｉｎｅｓｃｅｎｃｅ：電界発光）タイプを用いてもよい。
【００３９】
図３は、カメラ１０の背面を示す。カメラ本体１２の上部にはファインダー窓１４が配置され、上下方向の略中央にはモニター表示窓１６が配置されている。また、十字状にボタンが配置された十字ボタン１３、ファインダー表示とモニター表示を切り替える表示切替ボタン１５、その他の操作ボタン１７やスイッチボタン群１８が配置されている。これらのボタン類１３，１５，１７，１８は、前述の操作部５０（図２参照）に含まれる。
【００４０】
図４及び図５は、カメラ１０の内部構造を示す。カメラ本体１２の前部中央には鏡胴ユニット３０が配置され、上部にはフラッシュ発光部４０が配置されている。フラッシュ発光部４０はポップアップ式の可動のものであり、発光時には持ち上がり、発光窓４１が外部に露出するようになっている。
【００４１】
カメラ本体１２内には、鏡胴ユニット３０内に配置された撮影光学系の結像位置近傍に、ＣＣＤ撮像素子３２が配置され、その後方（図４及び図５において右側）に、画像データを記録するためのメモリカード（例えば、ＣＦカード）を収納するカード室３４と、メイン基板３６と、操作基板３８と、デジタル出力端子３９ａ及びＤＣ電源端子３９ｂとが配置されている。
【００４２】
カメラ本体１２の上部には、モニター表示又はファインダー表示を行うファインダーユニット１１が配置されている。ファインダーユニット１１は、ユニット化されているので、カメラ本体１２への組み込みが容易である。ファインダーユニット１１は、カメラ本体１２の背面ハウジングに対向する透明な背面板２７を備えている。
【００４３】
図４は、モニター表示のときの状態を示す。ＬＣＤユニット２０の画面２１は背面板２７に隣接した第１位置に配置されており、モニター表示窓１６を通してカメラ後方の離れた位置から画面２１を見ることができる。
【００４４】
このとき、反射ミラー２３を保持するミラーユニット２２は、略水平に延在し、反射ミラー２３は非反射位置に配置される。ファインダー窓１４からカメラ内に入ってきた光が画面２１に到達すると、画面２１のコントラストが低下して視認性が低下するが、ミラーユニット２２を略水平に配置することにより、ファインダー窓１４からカメラ内に入ってきた光を遮り、画面２１の視認性の低下を防止することができる。
【００４５】
図５は、ファインダー表示のときの状態を示す。ＬＣＤユニット２０はカメラ前方に倒れた第２位置に配置され、ミラーユニット２２は背面板２７に隣接して配置され、反射ミラー２３は、ＬＣＤユニット２０の画面２１に対向する反射位置となる。ファインダー光学系の光軸２９は、反射ミラー２３，２４によって折り曲げられ、ファインダー窓１４近傍に配置されたレンズ群２６（接眼レンズを含む）に導かれる。これによって、ＬＣＤユニット２０の画面２１をファインダー窓１４を通して見ることができる。
【００４６】
ＬＣＤユニット２０を適宜範囲（３０〜６０度、好ましくは略４５度）で傾けることにより、バランスのとれた構成とすることができる。例えば、ＬＣＤユニット２０の垂直方向からの傾きが３０度より小さい場合（垂直に近い場合）、適切な像倍率となる光路長を確保するためには、ファインダー窓１４をカメラ後方に突出させなければならない。ＬＣＤユニット２０の傾きが６０度より大きい場合（水平に近い場合）、カメラ上部にファインダー窓１４を設けるようにすると、光路長が長くなり、像倍率が小さくなりすぎる。ＬＣＤユニット２０の傾きが略４５度（４０〜５０度）のとき、最もバランスのとれた構成とすることができる。
【００４７】
ファインダー表示のとき、ミラーユニット２２は、モニター表示窓の大部分を覆う。ミラーユニット２２は、モニター表示窓１６から見える領域に、文字や図柄などの表示が配置されている。この表示によって、ファインダー表示状態であることや、モニター表示が行われていないことなどを示す。
【００４８】
モニター表示窓１６がミラーユニット２２で覆われていない部分は、ＬＣＤユニット２０に設けた遮光部材２０ｔによって覆われる。遮光部材２０ｔは、ＬＣＤユニット２０に対する相対位置が固定された支持軸２０ｓを中心に、回転自在に支持され、不図示のバネ部材により、カメラ背面側（図４及び図５において時計方向）に付勢されている。図４に示したモニター表示のときには、ＬＣＤユニット２０の回動に伴って支持軸２０ｓが下方に移動するので、遮光部材２０は、モニター表示窓１６よりも下方に移動し、外部からは見えなくなる。
【００４９】
図６及び図７を参照しながら、ファインダーユニット１１について、さらに説明する。図６及び図７において符号２７ｗで示した領域は、背面板２７がモニター表示窓１６の開口と重なる領域である。
【００５０】
図６に示したように、ＬＣＤユニット２０は、中心軸２０ｘを中心に回動する。中心軸２０ｘには、モータ５４（図２参照）の回転が、例えばカムを含むＬＣＤユニット駆動機構１２０（図６（ａ）参照）を介して選択的に伝達され、ＬＣＤユニット２０の角度が制御されるようになっている。ＬＣＤユニット２０は、図６（ａ）に示した第１位置と、図６（ｃ）に示した第２位置との間を、中心軸２０ｘを中心に、矢印９０ａ〜９０ｄで示すように回動する。図６（ａ）は、図４に示したモニター表示のときの状態に対応する。ミラーユニット２２は、ＬＣＤユニット２０の回動中は動かない。
【００５１】
図７に示したように、ミラーユニット２２は、ＬＣＤユニット２０が第２位置に停止しているときに、移動する。
【００５２】
ミラーユニット２２は、駆動アーム４４の一端に設けた支持軸４４ａによって回転自在に支持されている。駆動アーム４４は、ファインダーユニット１１に固定された支持軸４５を中心に回動する。支持軸４５には、モータ５４（図２参照）の回転が、例えばカムを含む駆動ア−ム駆動機構１４４（図６（ａ）参照）を介して選択的に伝達され、駆動アーム４４の角度が制御されるようになっている。ミラーユニット２２と駆動アーム４４には、係止部２２ａ，４４ｂがそれぞれ設けられ、支持軸４４ａに遊嵌されたねじりコイルバネ４２の係止片が係止するようになっている。これにより、ミラーユニット２２は、駆動アーム４４となす角が小さくなるように、図７において時計方向に付勢される。
【００５３】
さらに、ミラーユニット２２には、当接部２２ｂが設けられている。図７（ｃ）に示した状態（図５のファインダー表示のときの状態に対応する）のとき、駆動アーム４４が図７（ｃ）において反時計方向に回動すると、図７（ｂ）に示すように、当接部２２ｂは、ファインダーユニット１１の当接ブロック２８に当接する。駆動アーム４４が、ねじりコイルバネ４２の付勢力に抗してさらに反時計方向に回動すると、ミラーユニット２２は支持軸４４ａを中心に図７（ｂ）において反時計方向に回動し、図７（ａ）に示すように、駆動アーム４４となす角が大きくなり、略水平となり、非反射位置に配置される。
【００５４】
モニター表示とファインダー表示とを切り替えるために、ＬＣＤユニット２０が移動する空間と、ミラーユニット２２が移動する空間とは、重なり合っている。このように共通空間を設けることによって、カメラ１０を小型化することができる。
【００５５】
ＬＣＤユニット２０の画面２１の輝度は、モニター表示とファインダー表示とで、自動的に切り替える。外光の影響が大きいモニター表示については、相対的に高輝度とし、外光の影響が小さいファインダー表示については、相対的に低輝度とする。
【００５６】
次に、ファインダー表示とモニター表示の切替について説明する。
【００５７】
図６（ａ）に示すように、ＬＣＤユニット２０がカメラ背面に沿ったモニター表示状態であるとき、表示切替スイッチ１５が操作されると、操作部５０からの指示信号により、メイン基板３６のＣＰＵ３６ａは、モータ５４が駆動を開始するように制御する。これにより、ＬＣＤユニット２０及び駆動アーム４４が、モータ５４により、ＬＣＤユニット駆動機構１２０及び駆動アーム駆動機構４４とを介して、シーケンシャルに駆動される。
【００５８】
まず、ＬＣＤユニット２０が中心軸２０ｘを中心に、図６（ａ）に示した第１位置から、図６（ｃ）及び図７（ａ）に示した第２位置まで回動する。
【００５９】
次に、駆動アーム４４が図７（ａ）において矢印９２ａで示すように、時計方向に回動する。ミラーユニット２２の当接部２２ｂが当接ブロック２８に当接している間は、ミラーユニット２２と駆動アーム４４とのなす角が最大であり、この位置から、ミラーユニット２２は、支持軸４４ａを中心に、矢印９２ｂで示すように時計方向に回動する。すなわち、当接部２２ｂが当接ブロック２８から離れると、ミラーユニット２２はねじりコイルばね４２の時計方向への付勢力によって矢印９２ａ方向へ図７（ｃ）に示す駆動アーム４４との所定の位置関係まで移動する。そして、図７（ｃ）に示したように、ミラーユニット２２が背面板２７に達して反射位置となり、ファインダー表示状態となる。これを不図示の検出センサで検出すると、検出部５２からの信号により、ＣＰＵ３６ａはモータ５４の回転を停止させる。
【００６０】
ファインダー表示状態のときに表示切替スイッチ１５が操作されると、モータ５４は反転し、上記とは逆に動作する。まず、駆動アーム４４が図７（Ｃ）において反時計方向に回動してミラーユニット２２が非反射位置に退避する。次に、ＬＣＤユニット２０が図６において時計方向に第２位置から第１位置まで回動し、モニター表示状態となる。これを不図示の検出センサで検出すると、検出部５２からの信号により、ＣＰＵ３６ａはモータ５４の回転を停止させる。
【００６１】
なお、ＬＣＤユニット２０とミラーユニット２２は、一方の移動が完了した後に他方の移動を開始するようにしているが、干渉を避けることができれば、一部期間又は全期間において、両方が同時に移動するようにしてもよい。
【００６２】
また、モータ５４を一方向にのみ回転することによって、モニター表示とファインダー表示とを可逆的に切り替えるようにしてもよい。この場合、モータ５４の他方向の回転は、他の動作（例えば、フラッシュ発光部４０のポップアップ）に用いることができ、さらにカメラの小型化を図ることができる。
【００６３】
ファインダー表示状態のとき、モニター表示窓１６からは、ミラーユニット２２の背面（反射ミラー２３とは反対側の面）が見えるので、この部分に適宜な表示（例えば、ロゴマークや、ファインダーが使用可能である旨の表示）を配置することができる。こうすることで、撮影者にファインダー表示中であることを知らせ、また、モニタ表示が故障により表示されていないのではない旨を告知することにもなる。
【００６４】
また、ＬＣＤユニット２０が背面板２７に沿って配置された図６（ａ）の第１位置のときにのみモニター表示を行う代わりに、図６（ｂ）のような中間位置や、図６（ｃ）の第２位置でもモニター表示を行い、ＬＣＤユニット２０の画面２１の角度を、第１位置と第２位置との間で任意に設定できるようにしてもよい。これにより、モニタ表示をカメラ本体の例えば斜め上から見ることで、観察位置の自由度を上げるようにするアングルモニターとして使用できる。この場合には、ＬＣＤユニット２０が傾くとカメラ内に入り込むため、外光を遮ることで、ＬＣＤユニット２０の画面２１が見やすくなるという効果もある。この場合、十字ボタン１３を用いて、ＬＣＤユニット２０の移動や停止などの操作を行うようにすればよい。
【００６５】
さらに、モニター表示が選択された場合、予めユーザーが設定した角度に、ＬＣＤユニット２０の画面２１が自動的に配置されるようにしてもよい。
【００６６】
また、例えばＣＣＤ撮像素子３２の出力により、周囲の明るさを検出し、周囲の明るさに応じて、モニター表示時のＬＣＤユニット２０の角度や、モニター表示とファインダー表示との切替を、自動的に行うようにしてもよい。例えば、周囲が明るいときには、ＬＣＤユニット２０を傾け、カメラ内に後退させることで、表示は見やすくなる。
【００６７】
次に、第２実施例のデジタルカメラ（以下、単に「カメラ」と言う。）１０ａについて、図８を参照しながら説明する。第２実施例のカメラ１０ａは、第１実施例と略同様に構成される。以下では、同様の構成部分には同じ符号を用い、第１実施例との相違点を中心に説明する。
【００６８】
図８（ａ）に示すように、カメラ本体１２ａ内には、カメラ背面に対して所定角度傾けてＬＣＤユニット２０ａが固定されている。ＬＣＤユニット２０ａの配置に合わせて、メイン基板３６ａやカード室３４ａなどが配置されている。ＬＣＤユニット２０ａの上方には、断面凸状の反射ミラー２４ａが配置されている。ミラー２４ａは、ＬＣＤユニット２０ａの画面２１ａからの光束を、ファンダー光学系のレンズ群２６ａに向けて反射する。
【００６９】
ＬＣＤユニット２０ａの画面２１ａは、カメラ本体１２ａに奥まって配置されるので、外光が遮られて見やすくなる。
【００７０】
ファインダー窓１４からは、ＬＣＤユニット２０ａの画面２１ａを斜めに見るので、そのままでは、一方向に圧縮された画像を観察することになる。これを補正するため、反射ミラー２４ａを一方向にのみ凸状にし、圧縮方向と同じ方向のみを拡大して、画像の縦横比を元に戻す。この場合、図８において、ＬＣＤユニット２０ａの画面２１ａは紙面に対して垂直であり、紙面と平行な反射ミラー２４ａの断面は、どの位置においても同じ形状である。
【００７１】
なお、反射ミラー２４ａを一方向にのみ凹状にし、圧縮方向に対して垂直方向にのみ圧縮して、画像の縦横比を元に戻すことも可能である。
【００７２】
反射ミラー２４ａは一次元的に湾曲した形状であるが、ファンダー光学系のレンズ機能（パワー）の一部を持たせる２次元湾曲形状を重畳した２次元的に湾曲した形状としてもよい。この場合、レンズ群２６ａの構成を簡略化することができる。
【００７３】
反射ミラー２４ａは、図８（ａ）において実線で示した反射位置と、点線で示した非反射位置との間を、軸２４ｓを中心に回動する。非反射位置では、反射ミラー２４ａは略水平に配置され、ファインダー光学系の光路を横切り、ファインダー窓１４から内部へ入ってくる光を遮る。これによって、ファインダー窓１４から入ってきた光でＬＣＤユニット２０ａの画面２１ａが見えにくくなることを、防止することができる。
【００７４】
ＬＣＤユニット２０ａと反射ミラー２４ａとの間には、凹レンズ２６ｓが配置される。凹レンズ２６ｓは、表示画像を縮小する縮小光学系であり、これにより、ファインダー光学系の光路を短くし、ファインダー窓１４の位置がカメラ後方に突出しすぎないようにすることができる。
【００７５】
次に、第３実施例のデジタルカメラ（以下、単に「カメラ」と言う。）１０ｂについて、図９を参照しながら説明する。第３実施例のカメラ１０ｂは、第１実施例と略同様に構成される。以下では、同様の構成部分には同じ符号を用い、第１実施例との相違点を中心に説明する。
【００７６】
図９（ａ）に示すように、カメラ本体１２ｂ内には、カメラ背面に対して所定角度傾けてＬＣＤユニット２０ｂが固定されている。ＬＣＤユニット２０ｂの配置に合わせて、メイン基板３６ｂやカード室３４ｂなどが配置されている。
【００７７】
カメラ背面のモニター表示窓１６ｂは斜めに形成され、その内側に反射ミラー２３ｂが配置されている。また、ＬＣＤユニット２０ｂの上方にも、反射ミラー２４ｂが配置されている。ＬＣＤユニット２０ｂの画面２１ｂからの光束は、反射ミラー２３ｂ，２４ｂで反射され、ファンダー窓１４近傍に配置されたレンズ群２６ｂに導かれる。
【００７８】
反射ミラー２３ｂ，２４ｂの間には、凹レンズ２６ｔが配置される。凹レンズ２６ｔは、表示画像を縮小する縮小光学系であり、これにより、ファインダー光学系の光路を短くし、ファインダー窓１４の位置がカメラ後方に突出しすぎないようにすることができる。
【００７９】
反射ミラー２３ｂは、半透過面を有し、カメラ背面側のモニター表示窓１６ｂからは、常に、斜めに配置されたＬＣＤユニット２０ｂの画面２１ｂを見ることができる。
【００８０】
反射ミラー２４ｂは、図９（ａ）において実線で示した反射位置と、点線で示した非反射位置との間を、軸２４ｔを中心に回動するようになっている。反射ミラー２４ｂは、非反射位置では略水平となってファインダー光学系の光路を横切り、ファインダー窓１４からカメラ内へ入ってくる光を遮る。この場合、ファインダー表示はされないが、外光の影響が少なくなるので、モニター表示、すなわちＬＣＤユニット２０ｂの画面２１ｂは見やすくなる。
【００８１】
以上説明した各実施例のカメラ１０，１０ａ，１０ｂは、ＬＣＤユニット２０，２０ａ，２０ｂと反射ミラー２３，２４ａ，２４ｂとをカメラ本体１２，１２ａ，１２ｂ内で移動させることにより、一つのＬＣＤユニット２０，２０ａ，２０ｂを用いてファインダー表示とモニター表示の両方が可能であり、表示ＩＣ３６ｓも一つですむので、構成を小型化することができる。
【００８２】
なお、本発明は上記各実施例に限定されるものではなく、その他種々の態様で実施可能である。
【００８３】
例えば、ファインダー窓１４への接近の有無を検出し、その検出結果に応じて指示信号を制御部に出力する接眼検知部を備えてもよい。この場合、制御部は、接眼検出部によりファインダー窓１４への接近を検出したとき、少なくとも一つの反射ミラーが反射位置に移動するように、アクチュエータの駆動を制御する。これにより、ファインダー窓を覗こうとすると、ファインダー表示に自動的に切り替わるようにすることができる。
【００８４】
また、例えばＣＣＤ３２の出力から周囲の明るさを測光し、測光した周囲の明るさに応じて、表示装置の位置を切り替える。この場合、例えば周囲が明るいときには表示装置をカメラ内に後退させて見やすくすることができる。
【００８５】
ＬＣＤユニット（表示装置）を傾ける角度の範囲は、３０度〜６０度が好ましく、より好ましくは略４５度である。３０度よりも小さいと、像倍率が大きくなり過ぎたり、適切な像倍率のときの光路長をカメラ本体内で吸収できなくなりファインダー窓が突出した構成となる。６０度よりも大きいと、光路長が大きくなりすぎて、像倍率が小さくなりすぎる。略４５度（例えば、４０度〜５０度）であれば、像倍率と、光路又はファインダー窓の配置の両方を、バランスよく決定することができる。
【図面の簡単な説明】
【図１】  従来例のデジタルカメラのブロック図である。
【図２】  本発明の第１実施例のデジタルカメラを示すブロック図である。
【図３】  図２のデジタルカメラの背面図である。
【図４】  図２のデジタルカメラのファインダー表示状態における断面図である。
【図５】  図２のデジタルカメラのモニター表示状態における断面図である。
【図６】  図２のデジタルカメラにおけるＬＣＤの動作の説明図である。
【図７】  図２のデジタルカメラにおけるミラーユニットの動作の断面図である。
【図８】  本発明の第２実施例のデジタルカメラを示す構成図である。
【図９】  本発明の第３実施例のデジタルカメラを示す構成図である。
【符号の説明】
１０，１０ａ，１０ｂ  デジタルカメラ
１２，１２ａ，１２ｂ  カメラ本体
１４  ファインダー窓
１６，１６ａ，１６ｂ  モニター表示窓
２０，２０ａ，２０ｂ  ＬＣＤユニット（表示装置）
２１，２１ａ，２１ｂ  画面（表示面）
２３  反射ミラー（少なくとも一つの反射ミラー）
２３ａ，２３ｂ  反射ミラー
２４  反射ミラー
２４ａ，２１ｂ  反射ミラー（少なくとも一つの反射ミラー）
１２０  ＬＣＤユニット駆動機構（表示装置移動部材）
１４０  駆動アーム駆動機構（反射ミラー移動部材）
【図１】
0003722132.tif 000002
【図２】
0003722132.tif 000003
【図３】
0003722132.tif 000004
【図４】
0003722132.tif 000005
【図５】
0003722132.tif 000006
【図６】
0003722132.tif 000007
【図７】
0003722132.tif 000008
【図８】
0003722132.tif 000009
【図９】
0003722132.tif 000010